(57)【特許請求の範囲】
【請求項１】
天井の吊ボルト（３）に固定される第１アングル部材（１０）と、    
前記第１アングル部材（１０）の上面（１１）に配置され、室内機（４）が固定される第２アングル部材（２０）と、
前記第２アングル部材（２０）の上面（２１）から先端部（３１Ａ）が突出するように、前記第１アングル部材（１０）の上面（１１）から前記第２アングル部材（２０）側へ延びる連結部材（３０）と、
前記先端部（３１Ａ）に取り付けられ、前記連結部材（３０）と共に前記第１及び第２アングル部材（１０，２０）を重なり方向に締め付ける締付部材（４０）と、を備え、
前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられている、更新用天吊り部材（１）。
【請求項２】
前記第１アングル部材（１０）の上面（１１）には、下面（１２）側に凹むレール溝（１５）が設けられており、
前記落下防止部（１１Ｂ）は、前記レール溝（１５）の両端（１５Ａ，１５Ｂ）を接続する面により構成されている、請求項１に記載の更新用天吊り部材（１）。
【請求項３】
前記第１アングル部材（１０）は、一方向に延びる形状を有し、
前記レール溝（１５）は、前記第２アングル部材（２０）をスライドさせるように長手方向に沿って設けられている、請求項２に記載の更新用天吊り部材（１）。
【請求項４】
前記第２アングル部材（２０）は、一方向に延びる形状を有し、
前記第２アングル部材（２０）には、前記連結部材（３０）が挿入される孔（２１Ａ，２２Ａ）が長手方向に沿って設けられている、請求項１〜３の何れか１項に記載の更新用天吊り部材（１）。
【請求項５】
天井の吊ボルト（３）に固定される第１アングル部材（１０）と、
前記第１アングル部材（１０）の上面（１１）に配置され、室内機（４）が固定される第２アングル部材（２０）と、
前記第２アングル部材（２０）の上面（２１）から先端部（３１Ａ）が突出するように、前記第１アングル部材（１０）の上面（１１）から前記第２アングル部材（２０）側へ延びる連結部材（３０）と、
前記先端部（３１Ａ）に取り付けられ、前記連結部材（３０）と共に前記第１及び第２アングル部材（１０，２０）を重なり方向に締め付ける締付部材（４０）と、を備え、
前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられており、
前記第２アングル部材（２０）は、一方向に延びる形状を有し、
前記第２アングル部材（２０）には、前記連結部材（３０）が挿入される孔（２１Ａ，２２Ａ）が長手方向に沿って設けられており、
前記第２アングル部材（２０）には、前記孔（２１Ａ，２２Ａ）が形成された上面（２１）及び下面（２２）と、前記上面（２１）と前記下面（２２）とを繋ぐ側面（２３）と、により囲まれた中空部が設けられ、
前記中空部において前記孔（２１Ａ，２２Ａ）よりも外側には、前記上面（２１）と前記下面（２２）とを接続するように壁部（２４）が設けられている、更新用天吊り部材（１）。
【請求項６】
天井の吊ボルト（３）に固定される第１アングル部材（１０）と、
前記第１アングル部材（１０）の上面（１１）に配置され、室内機（４）が固定される第２アングル部材（２０）と、
前記第２アングル部材（２０）の上面（２１）から先端部（３１Ａ）が突出するように、前記第１アングル部材（１０）の上面（１１）から前記第２アングル部材（２０）側へ延びる連結部材（３０）と、
前記先端部（３１Ａ）に取り付けられ、前記連結部材（３０）と共に前記第１及び第２アングル部材（１０，２０）を重なり方向に締め付ける締付部材（４０）と、を備え、
前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられており、
前記第２アングル部材（２０）は、一方向に延びる形状を有し、
前記第２アングル部材（２０）には、前記連結部材（３０）が挿入される孔（２１Ａ，２２Ａ）が長手方向に沿って設けられており、
前記連結部材（３０）は、前記第２アングル部材（２０）の下面（２２）に形成された前記孔（２２Ａ）に挿入され、前記孔（２２Ａ）の端面に対して平行な一対の面を含む多角形状の根元部（３２）を有する、更新用天吊り部材（１）。
【請求項７】
前記第１アングル部材（１０）と前記第２アングル部材（２０）とは、前記根元部（３２）を前記第２アングル部材（２０）の下面（２２）に形成された前記孔（２２Ａ）に挿入することにより互いに垂直に固定される、請求項６に記載の更新用天吊り部材（１）。
【請求項８】
天井の吊ボルト（３）に固定される第１アングル部材（１０）と、
前記第１アングル部材（１０）の上面（１１）に配置され、室内機（４）が固定される第２アングル部材（２０）と、
前記第２アングル部材（２０）の上面（２１）から先端部（３１Ａ）が突出するように、前記第１アングル部材（１０）の上面（１１）から前記第２アングル部材（２０）側へ延びる連結部材（３０）と、
前記先端部（３１Ａ）に取り付けられ、前記連結部材（３０）と共に前記第１及び第２アングル部材（１０，２０）を重なり方向に締め付ける締付部材（４０）と、を備え、
前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられており、
前記第２アングル部材（２０）は、一方向に延びる形状を有し、
前記第２アングル部材（２０）には、前記連結部材（３０）が挿入される孔（２１Ａ，２２Ａ）が長手方向に沿って設けられており、
前記第２アングル部材（２０）は、
前記孔（２１Ａ，２２Ａ）が形成された一対の連結部材挿入部（２０Ａ）と、
前記一対の連結部材挿入部（２０Ａ）を隔てるように位置し、閉じた外周壁により構成された箱体部（２０Ｂ）と、を含む、更新用天吊り部材（１）。
【発明の詳細な説明】
【技術分野】
【０００１】
本発明は、更新用天吊り部材に関する。
【背景技術】
【０００２】
従来、天井に吊り下げられた既設の空調装置の室内機を撤去し、新たな室内機に交換する更新工事に使用される天吊り部材が知られている。この天吊り部材は、４本のアングル部材が四角形状の枠体に組み付けられた構造を有し、平行な２本のアングル部材に天井の吊ボルトがそれぞれ固定され、残りの２本のアングル部材に室内機が固定されるものである。このような天吊り部材の例が下記特許文献１及び２に開示されている。
【０００３】
下記特許文献１には、４本の長方形状のアングル部材が固定金具によって井の字状の枠体に組み付けられ、各アングル部材においてアングル部材間のピッチ調整のための孔が形成された天吊り部材が開示されている。また下記特許文献２には、同様に４本のアングル部材が枠体に組み付けられた天吊り部材が開示されており、室内機が固定される２本のアングル部材が吊ボルトに固定される２本のアングル部材の上に配置されている。
【先行技術文献】
【特許文献】
【０００４】
【特許文献１】特開平５−１８０４６２号公報
【特許文献２】特開２００４−３０１１８７号公報
【発明の概要】
【発明が解決しようとする課題】
【０００５】
上記特許文献１に開示された天吊り部材では、まず、天井裏において２本のアングル部材が天井の吊ボルトに固定され、その後、残りの２本のアングル部材がネジなどの連結部材によって先に吊ボルトに固定された２本のアングル部材に対して固定される。そのため、作業者は、アングル部材が天吊りされた状態において、連結部材を調整してアングル部材の固定作業を行う必要がある。このような天井裏での高所作業は、作業性が悪いため、誤って連結部材がアングル部材から外れて落下し、紛失してしまうことの懸念が大きい。また上記特許文献２に開示された天吊り部材では、室内機が固定されるアングル部材が吊ボルトに固定されるアングル部材の上に配置されているため、下側のアングル部材に掛かる荷重が大きくなり、部材の破損が起こり易いという問題がある。
【０００６】
本発明は、上記課題に鑑みてなされたものであり、その目的は、アングル部材同士を連結する部材の紛失を防止することができると共に、アングル部材の破損を防止することができる更新用天吊り部材を提供することである。
【課題を解決するための手段】
【０００７】
本発明の一局面に係る更新用天吊り部材（１）は、天井の吊ボルト（３）に固定される第１アングル部材（１０）と、前記第１アングル部材（１０）の上面（１１）に配置され、室内機（４）が固定される第２アングル部材（２０）と、前記第２アングル部材（２０）の上面（２１）から先端部（３１Ａ）が突出するように、前記第１アングル部材（１０）の上面（１１）から前記第２アングル部材（２０）側へ延びる連結部材（３０）と、前記先端部（３１Ａ）に取り付けられ、前記連結部材（３０）と共に前記第１及び第２アングル部材（１０，２０）を重なり方向に締め付ける締付部材（４０）と、を備える。前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられている。
【０００８】
上記更新用天吊り部材（１）では、第２アングル部材（２０）の上面（２１）から先端部（３１Ａ）が突出するように連結部材（３０）が配置され、当該先端部（３１Ａ）に締付部材（４０）を取り付けることにより、第１及び第２アングル部材（１０，２０）が互いに連結されている。そして、第１アングル部材（１０）には、連結部材（３０）の先端部（３１Ａ）が第２アングル部材（２０）の上面（２１）から突出した状態を維持するための落下防止部（１１Ｂ）が設けられている。そのため、作業中に誤って締結部材（４０）が連結部材（３０）から外れてしまった場合でも、落下防止部（１１Ｂ）によって連結部材（３０）の先端部（３１Ａ）は第２アングル部材（２０）の上面（２１）から突き出た状態となり、また締付部材（４０）は当該上面（２１）に載った状態となる。よって、作業中に連結部材（３０）及び締付部材（４０）を紛失するのを防止することができる。
【０００９】
また上記更新用天吊り部材（１）では、室内機（４）が固定される第２アングル部材（２０）が第１アングル部材（１０）の上面（１１）に配置されているため、当該第１アングル部材（１０）に掛かる荷重が大きくなる。これに対して、上記更新用天吊り部材（１）では、連結部材（３０）が第１アングル部材（１０）の下面（１２）から上面（１１）まで貫通せずに、第１アングル部材（１０）の上面（１１）から第２アングル部材（２０）側へ延びているため、第１アングル部材（１０）の剛性をより高めることができる。そのため、第１アングル部材（１０）の破損を防止することができる。
【００１０】
ここで、「更新用天吊り部材」とは、天井に吊り下げられた既設の空調装置の室内機を撤去して新しい室内機に交換する更新工事に使用されるものであり、また室内機が設置されていない天井に新しく室内機を設置する工事にも使用することができる。
【００１１】
上記更新用天吊り部材（１）において、前記第１アングル部材（１０）の上面（１１）には、下面（１２）側に凹むレール溝（１５）が設けられていてもよい。前記落下防止部（１１Ｂ）は、前記レール溝（１５）の両端（１５Ａ，１５Ｂ）を接続する面により構成されていてもよい。ここで、「レール溝（１５）の両端を接続する面」は、孔や切れ目が形成されていない連続した面である。
【００１２】
これにより、孔や切れ目が形成された面によって落下防止部（１１Ｂ）が構成される場合に比べて、第１アングル部材（１０）の剛性をより高めることができ、第１アングル部材（１０）の破損をより確実に防止することができる。
【００１３】
上記更新用天吊り部材（１）において、前記第１アングル部材（１０）は、一方向に延びる形状を有していてもよい。前記レール溝（１５）は、前記第２アングル部材（２０）をスライドさせるように長手方向に沿って設けられていてもよい。
【００１４】
これにより、第２アングル部材（２０）をレール溝（１５）に沿ってスライドさせることで、長手方向における第２アングル部材（２０）の位置を容易に調整することができる。
【００１５】
上記更新用天吊り部材（１）において、前記第２アングル部材（２０）は、一方向に延びる形状を有していてもよい。前記第２アングル部材（２０）には、前記連結部材（３０）が挿入される孔（２１Ａ，２２Ａ）が長手方向に沿って設けられていてもよい。
【００１６】
これにより、第２アングル部材（２０）の孔（２１Ａ，２２Ａ）に連結部材（３０）が挿入された状態で、第１アングル部材（１０）を孔（２１Ａ，２２Ａ）に沿ってスライドさせることができ、第１アングル部材（１０）の位置を容易に調整することができる。
【００１７】
本発明の他局面に係る更新用天吊り部材（１）は、天井の吊ボルト（３）に固定される第１アングル部材（１０）と、前記第１アングル部材（１０）の上面（１１）に配置され、室内機（４）が固定される第２アングル部材（２０）と、前記第２アングル部材（２０）の上面（２１）から先端部（３１Ａ）が突出するように、前記第１アングル部材（１０）の上面（１１）から前記第２アングル部材（２０）側へ延びる連結部材（３０）と、前記先端部（３１Ａ）に取り付けられ、前記連結部材（３０）と共に前記第１及び第２アングル部材（１０，２０）を重なり方向に締め付ける締付部材（４０）と、を備える。前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられている。前記第２アングル部材（２０）は、一方向に延びる形状を有する。前記第２アングル部材（２０）には、前記連結部材（３０）が挿入される孔（２１Ａ，２２Ａ）が長手方向に沿って設けられている。前記第２アングル部材（２０）には、前記孔（２１Ａ，２２Ａ）が形成された上面（２１）及び下面（２２）と、前記上面（２１）と前記下面（２２）とを繋ぐ側面（２３）と、により囲まれた中空部が設けられている。前記中空部において前記孔（２１Ａ，２２Ａ）よりも外側には、前記上面（２１）と前記下面（２２）とを接続するように壁部（２４）が設けられている。
【００１８】
これにより、第２アングル部材（２０）の上下方向の強度をより高めることができる。また壁部（２４）を孔（２１Ａ，２２Ａ）よりも外側に設けることで、孔（２１Ａ，２２Ａ）に挿入された連結部材（３０）と壁部（２４）との干渉を防ぐことができる。
【００１９】
本発明のさらに他の局面に係る更新用天吊り部材（１）は、天井の吊ボルト（３）に固定される第１アングル部材（１０）と、前記第１アングル部材（１０）の上面（１１）に配置され、室内機（４）が固定される第２アングル部材（２０）と、前記第２アングル部材（２０）の上面（２１）から先端部（３１Ａ）が突出するように、前記第１アングル部材（１０）の上面（１１）から前記第２アングル部材（２０）側へ延びる連結部材（３０）と、前記先端部（３１Ａ）に取り付けられ、前記連結部材（３０）と共に前記第１及び第２アングル部材（１０，２０）を重なり方向に締め付ける締付部材（４０）と、を備える。前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられている。前記第２アングル部材（２０）は、一方向に延びる形状を有する。前記第２アングル部材（２０）には、前記連結部材（３０）が挿入される孔（２１Ａ，２２Ａ）が長手方向に沿って設けられている。前記連結部材（３０）は、前記第２アングル部材（２０）の下面（２２）に形成された前記孔（２２Ａ）に挿入され、前記孔（２２Ａ）の端面に対して平行な一対の面を含む多角形状の根元部（３２）を有している。
【００２０】
これにより、第１及び第２アングル部材（１０，２０）の回動を防止するように連結し、第１及び第２アングル部材（１０，２０）の連結角を容易に固定することができる。
【００２１】
上記更新用天吊り部材（１）において、前記第１アングル部材（１０）と前記第２アングル部材（２０）とは、前記根元部（３２）を前記第２アングル部材（２０）の下面（２２）に形成された前記孔（２２Ａ）に挿入することにより互いに垂直に固定されてもよい。
【００２２】
これにより、室内機（４）の外形に合うように第１及び第２アングル部材（１０，２０）を長方形状や正方形状の枠体に容易に組み付けることができる。
【００２３】
本発明のさらに他の局面に係る更新用天吊り部材（１）は、天井の吊ボルト（３）に固定される第１アングル部材（１０）と、前記第１アングル部材（１０）の上面（１１）に配置され、室内機（４）が固定される第２アングル部材（２０）と、前記第２アングル部材（２０）の上面（２１）から先端部（３１Ａ）が突出するように、前記第１アングル部材（１０）の上面（１１）から前記第２アングル部材（２０）側へ延びる連結部材（３０）と、前記先端部（３１Ａ）に取り付けられ、前記連結部材（３０）と共に前記第１及び第２アングル部材（１０，２０）を重なり方向に締め付ける締付部材（４０）と、を備える。前記第１アングル部材（１０）には、前記先端部（３１Ａ）が前記第２アングル部材（２０）の上面（２１）から突出した状態が維持されるように前記連結部材（３０）の落下を防止する落下防止部（１１Ｂ）が設けられている。前記第２アングル部材（２０）は、一方向に延びる形状を有する。前記第２アングル部材（２０）には、前記連結部材（３０）が挿入される孔（２１Ａ，２２Ａ）が長手方向に沿って設けられている。前記第２アングル部材（２０）は、前記孔（２１Ａ，２２Ａ）が形成された一対の連結部材挿入部（２０Ａ）と、前記一対の連結部材挿入部（２０Ａ）を隔てるように位置し、閉じた外周壁により構成された箱体部（２０Ｂ）と、を含んでいる。
【００２４】
これにより、第２アングル部材（２０）全体において上下面（２１，２２）に孔（２１Ａ，２２Ａ）が形成される場合に比べて、第２アングル部材（２０）の強度をより高めることができる。
【発明の効果】
【００２５】
本発明によれば、アングル部材を連結する部材の紛失を防止することができると共に、アングル部材の破損を防止することができる更新用天吊り部材を提供することができる。
【図面の簡単な説明】
【００２６】
【図１】本発明の実施形態１に係る更新用天吊り部材の構造を示す図である。
【図２】図１中の領域ＩＩにおける拡大図である。
【図３】上記更新用天吊り部材を構成する下側アングル部材を長手方向から見た図である。
【図４】図１中の領域ＩＶにおける拡大図である。
【図５】上記更新用天吊り部材を構成する上側アングル部材を長手方向から見た図である。
【図６】上記更新用天吊り部材を構成する連結ボルトの構造を示す図である。
【図７】上記更新用天吊り部材における連結ボルトの落下防止機構を説明するための図である。
【図８】上記更新用天吊り部材が折畳まれた状態を示す図である。
【図９】上記更新用天吊り部材の半開き状態を示す図である。
【図１０】上記更新用天吊り部材が開かれた状態を示す図である。
【図１１】上記更新用天吊り部材が天井の吊ボルトに固定された状態を示す図である。
【図１２】上記更新用天吊り部材に室内機が固定された状態を示す図である。
【図１３】本発明の実施形態２に係る更新用天吊り部材の構造を示す図である。
【図１４】図１３中の領域ＸＩＶ，ＸＶにおける上記更新用天吊り部材の固定前の状態を示す図である。
【図１５】図１３中の領域ＸＩＶ，ＸＶにおける上記更新用天吊り部材の固定後の状態を示す図である。
【図１６】下側アングル部材を長手方向から見た図である。
【図１７】上側アングル部材を長手方向から見た図である。
【図１８】上記更新用天吊り部材における連結ボルトの落下防止機構を示す図である。
【発明を実施するための形態】
【００２７】
以下、図面に基づいて、本発明の実施形態につき詳細に説明する。
【００２８】
＜実施形態１＞
（更新用天吊り部材の構造）
まず、本発明の実施形態１に係る更新用天吊り部材１の構造について説明する。
【００２９】
図１に示すように、更新用天吊り部材１は、天井に吊り下げられた既設の空調装置の室内機を撤去して新しい室内機に交換する更新工事に使用されるものであって、４本の棒状のアングル部材１０，２０が四角形（長方形）の枠体状に連結されたものである。更新用天吊り部材１は、天井の吊ボルトに固定される２本の平行な下側アングル部材１０（第１アングル部材）と、室内機が固定される２本の平行な上側アングル部材２０（第２アングル部材）と、上側アングル部材２０と下側アングル部材１０とを連結する４本の連結ボルト３０（連結部材）及びナット４０（締付部材）と、４つの吊り具５０と、を有する。
【００３０】
上側及び下側アングル部材２０，１０は、上側アングル部材２０に向かって延びる連結ボルト３０とその先端部に取り付けられるナット４０とによって、上下に重なった状態で拘束されている。また吊り具５０は、下側アングル部材１０の両端部にそれぞれ取り付けられ、下側アングル部材１０の外周を取り囲む四角形状を有するアングル固定部５１と、アングル固定部５１に付設され、天井の吊ボルトが固定されるボルト固定部５２と、を有する。
【００３１】
［下側アングル部材］
図２は、図１中の領域ＩＩにおける拡大図である。図３は、下側アングル部材１０を長手方向から見たときの様子を示している。下側アングル部材１０は、アルミニウムの押し出し成形によって形成され、一方向に延びる筒形状を有する。下側アングル部材１０は、長手方向から見て横長の矩形状からなるアングル本体部１７と、アングル本体部１７の四隅から水平方向に延設されたアングル補強部１６と、を有する。
【００３２】
アングル本体部１７は、上面１１を有する。上面１１は、水平に延びる一対の第１上面１１Ａと、当該第１上面１１Ａに接続されかつ下面１２側に凹むコの字状の第２上面１１Ｂと、を有する。第２上面１１Ｂは、第１上面１１Ａの端部に接続されかつ下面１２側に延びる一対の垂直面１１Ｃと、当該一対の垂直面１１Ｃの端部同士を接続する水平面１１Ｄと、を有する。第１上面１１Ａにおいて垂直面１１Ｃとの接続部よりも内側には、延設面１１ＡＡが設けられている。延設面１１ＡＡの間には隙間が形成されており、当該隙間には連結ボルト３０が挿入される。
【００３３】
図３に示すように、延設面１１ＡＡは、第１上面１１Ａよりも上方に突出することにより、アングル固定部５１の内面に当接している。また第１上面１１Ａにおいて延設面１１ＡＡと反対側の端部には上側リブ１１ＡＢが設けられており、上側リブ１１ＡＢは第１上面１１Ａよりも上方に突出することにより当該内面に当接している。これにより、図３に示すように、第１上面１１Ａとアングル固定部５１の内面との間に隙間が形成され、吊り具５０を下側アングル部材１０の長手方向に沿ってスライドさせる時の摩擦を低減させることができる。
【００３４】
上面１１には、下面１２側に凹むレール溝１５が設けられている。レール溝１５は、両端１５Ａ，１５Ｂが第２上面１１Ｂ（垂直面１１Ｃ及び水平面１１Ｄ）により接続されており、当該第２上面１１Ｂにより中空部１４に対して仕切られている。図３に示すように、レール溝１５の開口は、延設面１１ＡＡによって部分的に塞がれている。また図１に示すように、レール溝１５は、下側アングル部材１０の一端から他端に至るように長手方向に沿って全体に設けられている。このレール溝１５によって、上面１１上に配置される連結ボルト３０（上側アングル部材２０）を長手方向に沿ってスライドさせることができる。
【００３５】
図３に示すように、水平面１１Ｄは、連結ボルト３０の頭部３３に対して上下方向に対向するように、当該連結ボルト３０の頭部３３よりも下側に設けられている。このため、連結ボルト３０が落下すると頭部３３が水平面１１Ｄに当接し、連結ボルト３０の落下を防止できる。つまり、本実施形態では、水平面１１Ｄを含む第２上面１１Ｂは、連結ボルト３０の落下を防止する落下防止部として機能する。また第２上面１１Ｂ（垂直面１１Ｃ及び水平面１１Ｄ）は、下側アングル部材１０の剛性を高くする観点から、孔や切れ目が形成されていない連続した面となっている。
【００３６】
アングル本体部１７は、下面１２を有する。下面１２は、水平に延びる一対の第１下面１２Ａと、当該第１下面１２Ａに接続されかつ上面１１側に凹むコの字状の第２下面１２Ｂと、を有する。第２下面１２Ｂは、第１下面１２Ａに接続されかつ上面１１側に延びる一対の垂直面１２Ｃと、当該一対の垂直面１２Ｃの端部同士を接続する水平面１２Ｄと、を有する。第１下面１２Ａにおいて垂直面１２Ｃとの接続部よりも内側には、延設面１２ＡＡが設けられている。延設面１２ＡＡの間には隙間が形成されており、当該隙間には下側アングル部材１０と吊り具５０とを互いに固定するための固定ボルト６０のネジ部が挿入される。
【００３７】
図３に示すように、延設面１２ＡＡは、第１下面１２Ａよりも下方に突出することにより、アングル固定部５１の内面に当接している。また第１下面１２Ａにおいて延設面１２ＡＡと反対側の端部には下側リブ１２ＡＢが設けられており、下側リブ１２ＡＢは第１下面１２Ａよりも下方に突出することにより当該内面に当接している。これにより、図３に示すように、第１下面１２Ａとアングル固定部５１の内面との間に隙間が形成され、吊り具５０を下側アングル部材１０の長手方向に沿ってスライドさせる時の摩擦を低減させることができる。
【００３８】
アングル本体部１７は、上下面１１，１２の両端を接続する一対の側面１３を有し、上面１１、下面１２及び側面１３により取り囲まれる中空部１４が形成された略四角柱状の部材である。アングル本体部１７の外周面（第１及び第２上面１１Ａ，１１Ｂ、第１及び第２下面１２Ａ，１２Ｂ、側面１３）は、その全体が孔や切れ目などが形成されていない連続した面となっている。
【００３９】
アングル補強部１６は、下側アングル部材１０の強度を向上させるため、アングル本体部１７の外面から外側に向かって延設された部位であり、アングル本体部１７と一体形成されている。アングル補強部１６は、下側アングル部材１０において長手方向の一端部から他端部に亘って形成されている。図３に示すように、アングル補強部１６は、アングル本体部１７の四隅に設けられた第１〜第４アングル補強部６１〜６４を有する。
【００４０】
第１アングル補強部６１は、上面１１と一方の側面１３との接続部から水平に延設されている。また図２に示すように、第１アングル補強部６１の長手方向の端部は切断されて下向きに折り曲げられており、この折り曲げられた部位が下側アングル部材１０から吊り具５０が抜けるのを防止するための第１ストッパー部６１Ａとなっている。より具体的には、アングル固定部５１の内面に設けられた被係止部９１Ａが第１ストッパー部６１Ａと当接することにより、吊り具５０の抜けを防止できる。
【００４１】
また第２〜第４アングル補強部６２〜６４も、以下に説明するように第１アングル補強部６１と同様の構造を有する。第２アングル補強部６２は、上面１１と他方の側面１３との接続部から水平に延設されており、長手方向の両端部が切断されて下向きに折り曲げられることにより第１ストッパー部６２Ａを構成している。また第３アングル補強部６３は、第１アングル補強部６１に対して平行になるように、下面１２と一方の側面１３との接続部から水平に延設されている。そして、第３アングル補強部６３の長手方向の両端部が切断されて上向きに折り曲げられることにより第１ストッパー部６３Ａが構成されている。また第４アングル補強部６４は、第２アングル補強部６２に対して平行になるように、下面１２と他方の側面１３との接続部から水平に延設されている。そして、第４アングル補強部６４の長手方向の両端部が切断されて上向きに折り曲げられることにより第１ストッパー部６４Ａが構成されている。また第１ストッパー部６２Ａ〜６４Ａも、アングル固定部５１の内面に設けられた被係止部９２Ａ〜９４Ａに当接させることにより、吊り具５０の抜け防止機構として機能する。
【００４２】
［上側アングル部材］
図４は、図１中の領域ＩＶにおける拡大図である。図５は、上側アングル部材２０を長手方向から見たときの様子を示している。上側アングル部材２０は、下側アングル部材１０と同様にアルミニウムの押し出し成形により形成され、一方向に延びる筒形状からなる。上側アングル部材２０は、下側アングル部材１０よりも短くなっている。上側アングル部材２０は、長手方向から見て横長の矩形状からなるアングル本体部２７と、アングル本体部２７の四隅から水平方向に延設されたアングル補強部２５と、を有する。
【００４３】
アングル本体部２７は、上面２１と、下面２２と、これらを接続する一対の側面２３と、を有する。アングル本体部２７は、上面２１、下面２２及び側面２３により取り囲まれた中空部を有する略四角柱状の部材であり、下面２２において下側アングル部材１０の上面１１に配置される。
【００４４】
図１に示すように、上側アングル部材２０は、上面２１及び下面に連結ボルト３０が挿入される孔２１Ａが形成された一対の連結部材挿入部２０Ａと、当該一対の連結部材挿入部２０Ａを隔てるように位置する箱体部２０Ｂと、を有し、これらが連続に繋がるように構成されている。連結部材挿入部２０Ａは、長手方向の両端側にそれぞれ位置し、箱体部２０Ｂは長手方向の略中央に位置している。箱体部２０Ｂは、連結部材挿入部２０Ａと異なり、上面２１及び下面に孔２１Ａが形成されておらず、周方向に連続する閉じた外周壁によって構成されているため、連結部材挿入部２０Ａよりも剛性がより高くなっている。図１に示すように、孔２１Ａは、上側アングル部材２０の長手方向に沿った長方形状を有し、幅方向の略中央に形成されている。なお、図１では下面に形成された孔２２Ａが示されていないが、当該孔２２Ａは上面２１に形成された孔２１Ａと略同じ大きさでかつ当該孔２１Ａの真下の位置に形成されている。
【００４５】
アングル本体部２７は、中空部において上面２１及び下面２２に対して垂直な方向に延び、上面２１と下面２２とを接続する一対の壁部２４を有する。壁部２４は、平板によって構成されており、図５に示すように孔２１Ａ，２２Ａよりも外側に設けられている。この壁部２４によって、上側アングル部材２０の上下方向の強度が高められると共に、連結ボルト３０が挿入される挿入空間２８とその両側に位置する中空空間２９とが仕切られている。また壁部２４は、上側アングル部材２０の一端から他端まで長手方向の全体に亘って設けられている。
【００４６】
アングル補強部２５は、下側アングル部材１０の場合と同様に、上側アングル部材２０の強度を向上させるための部位であって、アングル本体部２７の四隅から水平方向に延設されている。アングル補強部２５は、アングル本体部２７と一体形成され、且つ長手方向の一端部から他端部に亘って形成されている。アングル補強部２５は、アングル本体部２７の四隅に設けられた第１〜第４アングル補強部７１〜７４を有する。
【００４７】
第１アングル補強部７１は、上面２１と一方の側面２３との接続部から水平に延設されている。第２アングル補強部７２は、上面２１と他方の側面２３との接続部から水平に（第１アングル補強部７１と逆方向に）延設されている。第３アングル補強部７３は、第１アングル補強部７１に対して平行になるように下面２２と一方の側面２３との接続部から水平に延設され、下側アングル部材１０の上面１１に配置されている。第４アングル補強部７４は、第２アングル補強部７２に対して平行になるように下面２２と他方の側面２３との接続部から水平に（第３アングル補強部７３と逆方向に）延設され、下側アングル部材１０の上面１１に配置されている。
【００４８】
［連結ボルト］
連結ボルト３０は、ナット４０と共に上側及び下側アングル部材２０，１０を上下方向に締め付けて連結する。連結ボルト３０は、先端部３１Ａを含む円柱状の本体部３１と、本体部３１に接続された四角形状の根元部３２と、根元部３２に接続されかつ先端部３１Ａと反対側に設けられた頭部３３と、を有する。
【００４９】
本体部３１は、上側アングル部材２０の上下面２１，２２に形成された孔２１Ａ，２２Ａよりも小さい径を有し、図５に示すように当該上側アングル部材２０を上下方向に貫通する。本体部３１の外周面には、ナット４０と嵌合する雄ネジ部が形成されている。根元部３２は、孔２２Ａの端面に対して平行な一対の面を含む多角形状からなる。より具体的には、図６に示すように連結ボルト３０を軸方向から見たときの根元部３２の外形が四角形であり、上側アングル部材２０の下面２２に形成された孔２２Ａよりも小さい径を有する。頭部３３は、本体部３１及び根元部３２よりも大きい径を有する。なお、根元部３２は四角形状に限定されず、孔２２Ａの端面に対して平行な面を含む六角形状や八角形状などのその他の多角形状であってもよい。
【００５０】
連結ボルト３０は、上側アングル部材２０の上面２１から先端部３１Ａが突出するように、下側アングル部材１０の上面１１から上側アングル部材２０側へ延びるよう配置されている。より具体的には、頭部３３が下側アングル部材１０の延設面１１ＡＡに当接し（図３）、根元部３２が上側アングル部材２０の下面２２に形成された孔２２Ａに挿入され（図５）、本体部３１が上側アングル部材２０の上下面２１，２２を貫通してその先端部３１Ａが上面２１から上方へ突出している（図３，５）。そして、上面２１から突出した先端部３１Ａにナット４０が取り付けられている。本実施形態では、室内機が固定される重量が大きい上側アングル部材２０が下側アングル部材１０上に配置される構成となっているため、当該下側アングル部材１０に掛かる荷重が大きい。このため、本実施形態では下側アングル部材１０の上下面１１，１２を貫通しないように連結ボルト３０を配置することで、下側アングル部材１０の剛性をより高くすることができる。
【００５１】
図３に示すように、連結ボルト３０の長さＬ１（頭部３３から先端部３１Ａまでの距離）は、上側アングル部材２０の上面２１と下側アングル部材１０の水平面１１Ｄとの間の高さ距離Ｈ１よりも大きくなっている。このため、本実施形態では、図７に示すように、連結ボルト３０の頭部３３が水平面１１Ｄに当接した状態でも、先端部３１Ａが上面２１よりも上方へ突き出た状態が維持される。このとき、根元部３２は、孔２２Ａから抜け出てレール溝１５内に位置する。すなわち、本実施形態では、水平面１１Ｄを含む第２上面１１Ｂは、先端部３１Ａが上側アングル部材２０の上面２１から上方に突出した状態が維持されるように連結ボルト３０の落下を防止する落下防止部として機能する。そのため、作業中にナット４０が連結ボルト３０から外れてしまった場合でも、水平面１１Ｄが受け面となって連結ボルト３０を落下しないように支持することができ、作業者は先端部３１Ａの位置を容易に確認することができる。
【００５２】
また図５に示すように、根元部３２を孔２２Ａに挿入することで、上側アングル部材２０と下側アングル部材１０との回動を防止することができる。より具体的には、根元部３２が孔２２Ａに嵌まった状態で上側アングル部材２０と下側アングル部材１０とを互いに回動させようとすると、根元部３２において孔２２Ａの端面に対して平行な面が当該端面に当接することにより回動が防止される。これにより、連結ボルト３０を用いて上側アングル部材２０と下側アングル部材１０との連結角を固定することができる。本実施形態では、根元部３２を孔２２Ａに挿入することにより上側アングル部材２０と下側アングル部材１０とが互いに垂直に固定され、図１に示す長方形の枠体状の更新用天吊り部材１が構成される。
【００５３】
［ナット］
ナット４０は、上側アングル部材２０の上面２１から突出した連結ボルト３０の先端部３１Ａに取り付けられ、当該上面２１に接触している。ナット４０は、例えば皿バネナットであり、内周面において連結ボルト３０と嵌合する雌ネジ部が形成されている。ナット４０は、連結ボルト３０と共に上側及び下側アングル部材２０，１０を重なり方向に締め付ける。
【００５４】
本実施形態では、ナット４０は、下側アングル部材１０側ではなく上側アングル部材２０の上面２１上に配置されている。このため、作業中にナット４０が連結ボルト３０から外れてしまった場合でも、ナット４０は上面２１上に載った状態になるため、紛失を防止できる。
【００５５】
［吊り具］
吊り具５０は、下側アングル部材１０を天井の吊ボルトに固定するための部材である。図２に示すように、吊り具５０は、下側アングル部材１０の外周を取り囲むアングル固定部５１と、吊ボルトが挿入される挿入孔５２Ａが形成されたボルト固定部５２と、を有する。図１に示すように、吊り具５０は、下側アングル部材１０において上側アングル部材２０との連結部１Ａよりも外側に１つずつ取り付けられており、長手方向にスライド可能となっている。また図３に示すように、吊り具５０において下側アングル部材１０の下面１２を覆う部位には貫通孔５１Ａが形成されており、当該貫通孔５１Ａに固定ボルト６０のネジ部が挿入されている。吊り具５０は、固定ボルト６０の先端に固定ナット６５を締め付けることにより、下側アングル部材１０に対して位置固定される。
【００５６】
（更新用天吊り部材の据付方法）
次に、上記更新用天吊り部材１の天井への据付方法について、図８〜図１２を主に参照して説明する。
【００５７】
はじめに、折畳まれた状態の更新用天吊り部材１を準備するステップが実施される。このステップでは、図８に示すように、折畳まれた状態の更新用天吊り部材１が梱包された箱２が準備され、当該箱２から更新用天吊り部材１が取り出される。そして、更新用天吊り部材１が折畳まれた状態のままで天井の開口を通して天井裏の据付場所に運ばれる。
【００５８】
図８に示すように、折畳み状態では、上側アングル部材２０と下側アングル部材１０とは互いに略平行であり、連結ボルト３０及びナット４０により仮止めされている。この仮止め状態では、図７に示すように連結ボルト３０が下方に落ち込んだ状態である。そのため、上側アングル部材２０と下側アングル部材１０とを連結部１Ａを中心として互いに回動させることにより、連結角度を調整することができる。
【００５９】
次に、更新用天吊り部材１を開くステップが実施される。このステップでは、上側アングル部材２０と下側アングル部材１０とを連結部１Ａを中心として互いに回動させる。これにより、図９に示すように半開き状態となった後、図１０に示すように連結角度が０°から略９０°にまで変更され、上側アングル部材２０と下側アングル部材１０とが互いに垂直な状態となる。そして、ナット４０を掴んで連結ボルト３０を上方に引き上げることにより、図５に示すように連結ボルト３０の根元部３２が上側アングル部材２０の下面２２に形成された孔２２Ａに挿入された状態となる。この状態でナット４０が一定量締め付けられる。これにより、上側アングル部材２０と下側アングル部材１０との連結角度が固定される。なお、この状態ではナット４０は完全に締め付けられておらず、上側アングル部材２０はレール溝１５に沿ってスライド可能となっている。
【００６０】
次に、更新用天吊り部材１を天井の吊ボルト３に固定するステップが実施される。このステップでは、まず吊り具５０を下側アングル部材１０に沿ってスライドさせ、吊ボルト３のピッチと合うように位置調整する。そして、図３に示すように、固定ナット６５を固定ボルト６０に対して締め付けることにより、下側アングル部材１０に対して吊り具５０の位置が固定される。次に、吊ボルト３が挿入孔５２Ａ（図２）に挿入され、当該吊ボルト３に取り付けられたナット及びワッシャーによりボルト固定部５２が上下方向に締め付けられる。これにより、図１１に示すように、更新用天吊り部材１が吊ボルト３に固定される。
【００６１】
その後、上側アングル部材２０をレール溝１５に沿ってスライドさせ、室内機のピッチと合うように上側アングル部材２０の位置を調整する。そして、ナット４０を連結ボルト３０に対してさらに締め付けることにより、上側アングル部材２０が下側アングル部材１０に対して完全に固定される。このように、天吊りされた状態でナット４０の締付作業を行う場合、作業性の悪さに起因してナット４０が誤って連結ボルト３０から外れてしまう場合がある。このような場合でも、上述のように連結ボルト３０の先端部３１Ａは上側アングル部材２０の上面２１から突き出た状態となり、またナット４０は当該上面２１に載った状態となるため、作業者が部材を紛失するおそれがない。
【００６２】
次に、室内機を固定するステップが実施される。このステップでは、図１２に示すように、室内機４の四隅に取り付けられたボルト５が上側アングル部材２０の上下面に形成された孔に挿入される。そして、ボルト５に取り付けられた２つのナットにより上側アングル部材２０が上下方向に締め付けられる。これにより、図１２に示すように、室内機４が上側アングル部材２０に固定される。以上のようなステップにより、上記更新用天吊り部材が天井に据え付けられ、室内機４が設置される。
【００６３】
（作用効果）
次に、上記更新用天吊り部材１の特徴的な構成及びその作用効果について説明する。
【００６４】
上記更新用天吊り部材１は、下側アングル部材１０と、下側アングル部材１０の上面１１に配置される上側アングル部材２０と、上側アングル部材２０の上面２１から先端部３１Ａが突出するように、下側アングル部材１０の上面１１から上側アングル部材２０側へ延びる連結ボルト３０と、先端部３１Ａに取り付けられるナット４０と、を備える。下側アングル部材１０には、先端部３１Ａが上側アングル部材２０の上面２１から突出した状態が維持されるように連結ボルト３０の落下を防止する落下防止部としての第２上面１１Ｂが設けられている。
【００６５】
上記更新用天吊り部材１によれば、作業中に誤ってナット４０が連結ボルト３０から外れてしまった場合でも、落下防止部として機能する第２上面１１Ｂによって連結ボルト３０の先端部３１Ａは上側アングル部材２０の上面２１から突き出た状態となり、またナット４０は当該上面２１に載った状態となる。従って、作業中に連結ボルト３０及びナット４０を紛失するのを防止することができる。また、連結ボルト３０が下側アングル部材１０の下面１２から上面１１まで貫通せずに、当該上面１１から上側アングル部材２０側へ延びているため、下側アングル部材１０の剛性を高めることができ、部材の破損を防止することができる。
【００６６】
下側アングル部材１０の上面１１には、下面１２側に凹むレール溝１５が設けられており、当該レール溝１５の両端１５Ａ，１５Ｂは第２上面１１Ｂにより接続されている。そして、第２上面１１Ｂは、孔や切れ目が形成されていない連続した面となっている。これにより、下側アングル部材１０の剛性をより高めることができ、部材の破損をより確実に防止することができる。
【００６７】
下側アングル部材１０は一方向に延びる形状を有し、レール溝１５はその長手方向に沿って設けられている。これにより、上側アングル部材２０をレール溝１５に沿ってスライドさせることで、容易に位置調整することができる。
【００６８】
上側アングル部材２０は一方向に延びる形状を有し、当該上側アングル部材２０には連結ボルト３０が挿入される孔２１Ａ，２２Ａがその長手方向に沿って設けられている。これにより、孔２１Ａ，２２Ａに連結ボルト３０が挿入された状態で下側アングル部材１０を当該孔２１Ａ，２２Ａに沿ってスライドさせることができ、容易に位置調整することができる。
【００６９】
上側アングル部材２０には、孔２１Ａ，２２Ａが形成された上面２１及び下面２２と、側面２３と、により囲まれた中空部が設けられている。そして、当該中空部において孔２１Ａ，２２Ａよりも外側には、上面２１と下面２２とを接続する壁部２４が設けられている。これにより、上側アングル部材２０の上下方向の強度をより高めることができ、また孔２１Ａ，２２Ａに挿入された連結ボルト３０と壁部２４との干渉を防ぐことができる。
【００７０】
連結ボルト３０は、上側アングル部材２０の孔２２Ａに挿入され、孔２２Ａの端面に対して平行な一対の面を含む四角形状からなり、上側アングル部材２０と下側アングル部材１０との回動を防止する根元部３２を有する。これにより、上側及び下側アングル部材２０，１０の回動を防止するように連結し、連結角度を容易に固定することができる。
【００７１】
上側アングル部材２０と下側アングル部材１０とは、根元部３２を上側アングル部材２０の下面２２に形成された孔２２Ａに挿入することにより、互いに垂直に固定される。これにより、室内機４の形状に合うように上側及び下側アングル部材２０，１０を長方形状の枠体に容易に組み付けることができる。
【００７２】
上側アングル部材２０は、上下面２１，２２に孔２１Ａ，２２Ａが形成された一対の連結部材挿入部２０Ａと、当該一対の連結部材挿入部２０Ａを隔てるように位置し、閉じた外周壁により構成された箱体部２０Ｂと、を含む。これにより、上側アングル部材２０全体において上下面２１，２２に孔２１Ａ，２２Ａが形成される場合に比べて、上側アングル部材２０の強度をより高めることができる。
【００７３】
（実施形態２）
次に、本発明の実施形態２に係る更新用天吊り部材１Ａについて、図１３〜図１８を参照して説明する。図１３は、更新用天吊り部材１Ａの全体構造を示している。図１４及び図１５は、図１３中の領域ＸＩＶ，ＸＶにおける拡大図である。図１６は、下側アングル部材１０を長手方向から見た様子を示している。図１７は、上側アングル部材２０を長手方向から見た様子を示している。図１８は、連結ボルト３０が下方に落ち込んだ状態を示している。なお、実施形態２では上記実施形態１と異なる部分についてのみ説明する。
【００７４】
図１４及び図１５に示すように、ボルト固定部５２は、アングル固定部５１の上部から水平に延設された第１延設部５２Ｃと、アングル固定部５１の下部から水平に延設された第２延設部５２Ｄと、を有する。また第１延設部５２Ｃと第２延設部５２Ｄとは、壁部５２Ｅによって互いに接続されている。
【００７５】
図１６に示すように、下側アングル部材１０は、長手方向から見て正方形状からなり、その四隅にアングル補強部が設けられていない。また延設面１１ＡＡは第１上面１１Ａに対して水平に延設されており、また第１上面１１Ａには上側リブが設けられていない。このため、第１上面１１Ａ及び延設面１１ＡＡがアングル固定部５１の内面に当接している。また同様に延設面１２ＡＡは第２上面１２Ａに対して水平に延設され、第２上面１２Ａには下側リブが設けられていない。また図１７に示すように、上側アングル部材２０は、長手方向から見て正方形状からなり、その四隅にアングル補強部が設けられていない。
【００７６】
上記構成を有する更新用天吊り部材１Ａにおいても、図１８に示すように連結ボルト３０の頭部３３が落下防止部である第２上面１１Ｂにより支持されることで先端部３１Ａが上面２１から突出した状態が維持され、またナット４０が上側アングル部材２０の上面２１に載ることにより、作業中において連結ボルト３０及びナット４０の紛失を防止することができる。
【００７７】
（その他実施形態）
最後に、本発明に係る更新用天吊り部材のその他実施形態について説明する。
【００７８】
上記更新用天吊り部材１は、既設の室内機を取り外して新しい室内機に交換する際に用いられる場合に限定されず、室内機が設置されていない天井に新しく室内機を設置する場合にも用いることができる。また、４本のアングル部材１０，２０を組み付けたものに限定されず、３本のアングル部材からなるものでもよいし、５本以上のアングル部材からなるものでもよい。
【００７９】
下側アングル部材１０において、第２上面１１Ｂは、孔や切れ目が形成されていない連続面であることが好ましいがこれに限定されず、孔や切れ目が形成された面であってもよい。またレール溝１５は長手方向の全体に形成される場合に限定されず、一部分にのみ形成されてもよい。
【００８０】
上側アングル部材２０において、壁部２４が省略されてもよい。また箱体部２０Ｂが省略され、長手方向の中央においても上下面２１，２２に孔２１Ａ，２２Ａが形成されてもよい。連結ボルト３０において、根元部３２が省略されてもよい。
【００８１】
今回開示された実施形態は、全ての点で例示であって制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００８２】
１  更新用天吊り部材
１０  下側アングル部材（第１アングル部材）
１１  上面
１２  下面
１５  レール溝
１５Ａ，１５Ｂ  両端
２０  上側アングル部材（第２アングル部材）
２０Ａ  連結部材挿入部
２０Ｂ  箱体部
２１  上面
２１Ａ  孔
２２  下面
２２Ａ  孔
２４  壁部
３０  連結ボルト（連結部材）
３１Ａ  先端部
３２  根元部
３３  頭部
４０  ナット（締付部材）
【図１】
0006325587.tif 000002
【図２】
0006325587.tif 000003
【図３】
0006325587.tif 000004
【図４】
0006325587.tif 000005
【図５】
0006325587.tif 000006
【図６】
0006325587.tif 000007
【図７】
0006325587.tif 000008
【図８】
0006325587.tif 000009
【図９】
0006325587.tif 000010
【図１０】
0006325587.tif 000011
【図１１】
0006325587.tif 000012
【図１２】
0006325587.tif 000013
【図１３】
0006325587.tif 000014
【図１４】
0006325587.tif 000015
【図１５】
0006325587.tif 000016
【図１６】
0006325587.tif 000017
【図１７】
0006325587.tif 000018
【図１８】
0006325587.tif 000019